(57)【要約】      （修正有）【課題】血球成分と血漿成分を含む血液試料を用いて種々の測定・評価を行う場合において、血沈の影響を受けない精度の高い電気的測定が可能な技術を提供する。【解決手段】少なくとも血球成分と血漿成分とを含む血液試料を電気的に測定する方法であって、前記血液試料に血沈抑制剤を添加する工程を行う電気的測定方法を提供する。また、少なくとも血球成分と血漿成分とを含む血液試料の電気的測定に用いられ、前記血漿成分の比重及び／又は粘度を増加させ、非カチオン性の水溶性化合物からなる血沈抑制剤を提供する。【選択図】図１
2016191668.tif 000002
【特許請求の範囲】
【請求項１】
少なくとも血球成分と血漿成分とを含む血液試料を電気的に測定する方法であって、
前記血液試料に血沈抑制剤を添加する工程を行う電気的測定方法。
【請求項２】
前記血沈抑制剤は、前記血漿成分の比重及び／又は粘度を増加させる請求項１記載の電気的測定方法。
【請求項３】
前記血沈抑制剤は、非カチオン性の水溶性化合物である請求項１記載の電気的測定方法。
【請求項４】
前記水溶性化合物は、非カチオン性の炭水化物、多価アルコール、ポリアミノ酸からなる群より選ばれる１種又は２種以上の化合物である請求項３記載の電気的測定方法。
【請求項５】
前記水溶性化合物は、デキストラン、ショ糖、ポリエチレングリコール、カルボキシメチルデキストラン及びコラーゲンペプチドからなる群より選ばれる１種又は２種以上の化合物である請求項４記載の電気的測定方法。
【請求項６】
前記血液試料の電気的特性に基づいて、前記血沈抑制剤の添加量を制御する添加量制御工程を更に行う請求項１記載の電気的測定方法。
【請求項７】
前記血液試料の電気的特性に基づいて、血液の状態を解析する血液状態解析工程を更に行う請求項１記載の電気的測定方法。
【請求項８】
前記血液状態解析工程では、血沈の遅延の程度を解析する請求項７記載の電気的測定方法。
【請求項９】
前記血液状態解析工程では、血液の凝固の程度を解析する請求項７記載の電気的測定方法。
【請求項１０】
少なくとも血球成分と血漿成分とを含む血液試料を電気的に測定する装置であって、
前記血液試料に血沈抑制剤を添加する添加部を備える電気的測定装置。
【請求項１１】
前記血液試料の電気的特性に基づいて、血液の状態を解析する血液状態解析部を更に備える請求項１０記載の電気的測定装置。
【請求項１２】
前記血液状態解析部では、血沈の遅延の程度を解析する請求項１１記載の電気的測定装置。
【請求項１３】
前記血液状態解析部では、血液の凝固の程度を解析する請求項１１記載の電気的測定装置。
【請求項１４】
少なくとも血球成分と血漿成分とを含む血液試料を用いて、該血液試料の状態を解析するシステムであって、
前記血液試料に血沈抑制剤を添加する添加部を備える電気的測定装置と、
前記血液試料の電気的特性に基づいて、血液の状態を解析する血液状態解析部を備える血液状態解析装置と、
を有する血液状態解析システム。
【請求項１５】
前記電気的特性測定装置での測定結果および／または前記血液状態解析装置での解析結果を記憶するサーバーを備える請求項１４記載の血液状態解析システム。
【請求項１６】
前記サーバーは、ネットワークを介して、前記電気的特性測定装置および／または前記血液状態解析装置と接続されている請求項１５記載の血液状態解析システム。
【請求項１７】
少なくとも血球成分と血漿成分とを含む血液試料の電気的測定に用いられ、
前記血漿成分の比重及び／又は粘度を増加させ、
非カチオン性の水溶性化合物からなる血沈抑制剤。
【請求項１８】
前記血液試料の電気的特性に基づく血液状態解析に悪影響がない請求項１７記載の血沈抑制剤。
【発明の詳細な説明】
【技術分野】
【０００１】
本技術は、電気的特性測定方法に関する。より詳しくは、少なくとも血球成分と血漿成分とを含む血液試料を用いて、該血液試料の電気的特性を測定する方法、電気的特性測定装置、及び血液状態解析システムに関する。
【背景技術】
【０００２】
臨床的に行われる血液状態の解析方法としては、例えば、血液凝固検査がある。一般的な血液凝固検査としては、プロトロンビン時間（ＰＴ）、活性化部分トロンボプラスチン時間（ＡＰＴＴ）に代表される血液凝固検査が知られている。これらの方法では、血液試料を遠心分離して得られる血漿中に含まれ、凝固反応に関与するタンパク質を分析する方法である。この分野は技術的に確立しており、医療現場におけるニーズはほぼ充足されていると見られてきた。
【０００３】
しかし、迅速性が要求される周術期（急性期）治療等において、患者の包括的な凝固病態を的確かつ簡便に検査したいというニーズに答えるには、前記の方法は不十分である。具体的には、例えば、人工心肺装置による体外循環を伴う心臓手術、重度外傷治療、肝臓移植手術等の大規模手術では、外科的出血だけでなく、凝固異常に起因する出血が持続することがある。それにも拘わらず、従来の凝固検査では、生体内の凝固反応において重要な役割を果たす血小板・赤血球等の細胞成分が遠心分離により除去されるため、検査結果が実際の臨床的病態と齟齬することも多い。
【０００４】
また、患者の凝固病態は周術期を通じて大幅に変動し、しばしば出血傾向から血栓傾向に転じることがあるが、ＰＴやＡＰＴＴは出血傾向の検査であり、血栓傾向の高感度な検査法は未だ確立されていない。
【０００５】
急性期の包括的凝固検査として、血液凝固過程に伴う粘弾性変化を力学的に測定するトロンボエラストメトリーが、ＴＥＧ（登録商標）やＲＯＴＥＭ（登録商標）として欧米企業により製品化されている。しかし、これらは、（１）測定が自動化されておらず、検査結果が測定者の手技に依存する、（２）振動の影響を受けやすい、（３）品質管理（ＱＣ）手順が煩雑で、ＱＣ用試薬が高価である、（４）出力信号（トロンボエラストグラム）の解釈に熟練を要する等の理由が、十分な普及を阻む第一の原因であると考えられる。そのため、包括的凝固検査を行えば輸血不要である患者に対しても、現状ではしばしば予防的・経験的に血液製剤が使用され、感染症等のリスクが増大するだけでなく、血液製剤の浪費と医療費の増大をもたらしている。
【０００６】
近年、血液の凝固の程度を簡便かつ正確に評価する技術が、開発されつつある。例えば、特許文献１には、血液の誘電率から血液凝固に関する情報を取得する技術が開示されており、「一対の電極と、上記一対の電極に対して交番電圧を所定の時間間隔で印加する印加手段と、上記一対の電極間に配される血液の誘電率を測定する測定手段と、血液に働いている抗凝固剤作用が解かれた以後から上記時間間隔で測定される血液の誘電率を用いて、血液凝固系の働きの程度を解析する解析手段と、を有する血液凝固系解析装置」が記載されている。
【先行技術文献】
【特許文献】
【０００７】
【特許文献１】特開２０１０−１８１４００号公報
【発明の概要】
【発明が解決しようとする課題】
【０００８】
血球成分と血漿成分を含む血液試料を用いて種々の測定・評価を行う場合、時間に伴って血球の沈降（以下「血沈」ともいう）が生じる。このように、凝固反応等の測定対象となる現象の前に、血沈が生じてしまい、正確な測定ができない場合があった。
【０００９】
そこで、本技術では、血球成分と血漿成分を含む血液試料を用いて種々の測定・評価を行う場合において、血沈の影響を受けない精度の高い電気的測定が可能な技術を提供することを主目的とする。
【課題を解決するための手段】
【００１０】
即ち、本技術では、まず、少なくとも血球成分と血漿成分とを含む血液試料を電気的に測定する方法であって、
前記血液試料に血沈抑制剤を添加する工程を行う電気的測定方法を提供する。
本技術に係る電気的測定方法で用いることが可能な前記血沈抑制剤は、血沈を抑制できれば、その具体的な方法は特に限定されないが、前記血漿成分の比重及び／又は粘度を増加させることで、血沈を抑制することができる。
前記血沈抑制剤としては、非カチオン性の水溶性化合物を用いることができる。
この場合、前記水溶性化合物としては、非カチオン性の炭水化物、多価アルコール、ポリアミノ酸などが挙げられ、より具体的には、デキストラン、ショ糖、ポリエチレングリコール、カルボキシメチルデキストラン及びコラーゲンペプチドからなる群より選ばれる１種又は２種以上の化合物を用いることができる。
本技術に係る電気的測定方法では、前記血液試料の電気的特性に基づいて、前記血沈抑制剤の添加量を制御する添加量制御工程を更に行うことができる。
また、前記血液試料の電気的特性に基づいて、血液の状態を解析する血液状態解析工程を更に行うこともできる。
この場合、前記血液状態解析工程では、血沈の遅延の程度や血液の凝固の程度を解析することができる。
【００１１】
本技術では、次に、少なくとも血球成分と血漿成分とを含む血液試料を電気的に測定する装置であって、
前記血液試料に血沈抑制剤を添加する添加部を備える電気的測定装置を提供する。
本技術に係る電気的測定装置には、前記血液試料の電気的特性に基づいて、血液の状態を解析する血液状態解析部を更に備えることができる。
この場合、前記血液状態解析部では、血沈の遅延の程度や血液の凝固の程度を解析することができる。
【００１２】
本技術では、更に、少なくとも血球成分と血漿成分とを含む血液試料を用いて、該血液試料の状態を解析するシステムであって、
前記血液試料に血沈抑制剤を添加する添加部を備える電気的測定装置と、
前記血液試料の電気的特性に基づいて、血液の状態を解析する血液状態解析部を備える血液状態解析装置と、
を有する血液状態解析システムを提供する。
本技術に係る血液状態解析システムには、前記電気的特性測定装置での測定結果および／または前記血液状態解析装置での解析結果を記憶するサーバーを備えることができる。
この場合、前記サーバーは、ネットワークを介して、前記電気的特性測定装置および／または前記血液状態解析装置と接続することができる。
【００１３】
本技術では、加えて、少なくとも血球成分と血漿成分とを含む血液試料の電気的測定に用いられ、
前記血漿成分の比重及び／又は粘度を増加させ、
非カチオン性の水溶性化合物からなる血沈抑制剤を提供する。
本技術に係る血沈抑制剤は、前記血液試料の電気的特性に基づく血液状態解析に悪影響がない物質である。
【発明の効果】
【００１４】
本技術によれば、血球成分と血漿成分を含む血液試料を用いて種々の測定、評価、解析を行う場合において、血沈の影響を受けない精度の高い電気的測定が可能である。
なお、ここに記載された効果は、必ずしも限定されるものではなく、本技術中に記載されたいずれかの効果であってもよい。
【図面の簡単な説明】
【００１５】
【図１】本技術に係る電気的特性測定方法のフローチャートである。
【図２】本技術に係る電気的特性測定装置１の概念を模式的に示す模式概念図である。
【図３】本技術に係る血液状態解析システム１０の概念を模式的に示す模式概念図である。
【図４】実験例１において、実施例１及び２の誘電率測定結果を示す図面代用グラフである。
【図５】実験例１において、比較例１及び２の誘電率測定結果を示す図面代用グラフである。
【図６】実験例２において、実施例３の誘電率測定結果を示す図面代用グラフである。
【図７】実験例２において、比較例３の誘電率測定結果を示す図面代用グラフである。
【発明を実施するための形態】
【００１６】
以下、本技術を実施するための好適な形態について図面を参照しながら説明する。なお、以下に説明する実施形態は、本技術の代表的な実施形態の一例を示したものであり、これにより本技術の範囲が狭く解釈されることはない。なお、説明は以下の順序で行う。
１．電気的特性測定方法
（１）血沈抑制剤添加工程Ｉ・血沈抑制剤
（２）測定工程ＩＩ
（３）添加量制御工程ＩＩＩ
（４）血液状態解析工程ＩＶ
（５）血液試料
２．電気的特性測定装置１
（１）血沈抑制剤添加部１１
（２）測定部１２
（３）添加量制御部１３
（４）血液状態解析部１４
（５）記憶部１５
３．血液状態解析システム１０
（１）電気的特性測定装置１
（２）血液状態解析装置１０１
（３）サーバー１０２
（４）表示部１０３
（５）ユーザーインターフェース１０４
【００１７】
１．電気的特性測定方法
図１は、本技術に係る電気的特性測定方法のフローチャートである。本技術に係る電気的特性測定方法は、少なくとも血球成分と血漿成分とを含む血液試料（以下、単に「血液試料」ともいう）を電気的に測定する方法であって、血沈抑制剤添加工程Ｉ及び測定工程ＩＩを少なくとも行う方法である。また、必要に応じて、添加量制御工程ＩＩＩ、血液状態解析工程ＩＶなどを行うこともできる。以下、各工程について詳細に説明する。
【００１８】
（１）血沈抑制剤添加工程Ｉ・血沈抑制剤
血沈抑制剤添加工程Ｉは、少なくとも血球成分と血漿成分とを含む血液試料に血沈抑制剤を添加する工程である。
【００１９】
血球成分と血漿成分を含む血液試料を用いて種々の測定・評価を行う場合、時間に伴って血沈が生じるため、これまでの技術では、例えば、血沈異常を感知した際に警告を発したり、測定を中止するシステムを導入したり、あるいは、撹拌等の物理的な動作を加えることで、血沈による測定異常や測定誤差などを防止していた。しかしながら、警告を発したり、測定を中止するシステムでは、血沈が異常に早い検体は測定不可能になる場合があった。また、物理的な動作を加えて血沈を抑制する方法では、物理的に検体が刺激され、例えば、血小板等が活性化し、血液凝固反応等の血液の状態変化に影響を及ぼす場合があった。
【００２０】
そこで、本願発明者らは、血沈による測定異常や測定誤差などを防止する技術について鋭意研究を行った。その結果、通常、血液の状態を評価・解析する場合には、血液の状態変化への影響を最低限にするために、薬剤等の添加を最小限に抑えることが技術常識であるところ、血液の状態変化への影響が低く、かつ、血沈を防止可能な物質が多々存在することを見出した。そして、測定前に、血液試料に血沈抑制剤を添加する工程を行うことで、精度の高い電気的測定を実現した。
【００２１】
本技術に係る電気的測定方法で用いる血沈抑制剤としては、血沈を抑制することができ、かつ、本技術の効果を損なわない物質であれば、公知の物質を１種又は２種以上、自由に選択して用いることができる。本技術の効果を損なわないとは、具体的には、例えば、電気的測定で得られる結果に基づいて血液状態を解析する場合に、解析に用いる電気的特性のパラメータに影響がないことが挙げられる。即ち、電気的測定の数値に変化がある場合でも、解析のために抽出されるパラメータに影響がなければよい。具体的には、例えば、電気的特性の急激に増加する時刻をパラメータとして解析に用いる場合、電気的特性の増加率が変化しても、増加する時刻に変化がなければ、解析への影響はないといえる。
【００２２】
本技術で用いる血沈抑制剤が、血沈を抑制する方法としては、例えば、血漿成分の比重及び／又は粘度を増加させることで、血球成分の沈降を抑制することができる。
【００２３】
より具体的には、例えば、非カチオン性の水溶性化合物を挙げることができる。更に具体例としては、例えば、デキストラン、カルボキシメチルデキストラン、ショ糖等の炭水化物；ポリエチレングリコール等の多価アルコール；及びコラーゲンペプチド等のポリアミノ酸からなる群より選ばれる１種又は２種以上の化合物を挙げることができる。なお、これらの化合物は、分子量によってその効果が変動する場合がある。例えば、デキストランの分子量としては、１０００〜１０００００が好ましく、２００００〜４００００がより好ましい。また、例えば、ポリエチレングリコールの分子量としては、２００〜１０００００が好ましく、５０００〜７０００がより好ましい。
【００２４】
血沈抑制剤の添加方法としては、本技術の効果を損なわない限り特に限定されず、公知の添加方法を１種又は２種以上、自由に用いて行うことができる。例えば、血液試料の入った容器に血沈抑制剤を注入する方法や、血沈抑制剤が入った容器に血液試料を入れる方法等を挙げることができる。
【００２５】
（２）測定工程ＩＩ
測定工程ＩＩは、血液試料の電気的特性を測定する工程である。本技術に係る電気的特性測定方法において、測定可能な電気的特性としては、例えば、誘電率、インピーダンス、アドミッタンス、キャパシタンス、コンダクタンス、導電率、位相角などを挙げることができる。これらの電気的特性は、下記表１に示す数式によって、互いに変換可能である。そのため、例えば、血液試料の誘電率測定の結果を用いてヘマトクリット値及び／又はヘモグロビン量を評価した評価結果は、同一の血液試料のインピーダンス測定の結果を用いた場合の評価結果と同一になる。これらの電気量や物性値の多くは複素数を用いて記述することができ、それによって変換式を簡略化することができる。
【００２６】
【表１】
2016191668.tif 000003
【００２７】
測定工程ＩＩにおいて、電気的測定を行う周波数帯域は、測定する血液試料の状態、測定目的などに応じて、適宜選択することができる。例えば、測定する電気的特性がインピーダンスである場合、血液の状態変化に応じて、下記の表２に示す周波数帯域において変化がみられる。
【００２８】
【表２】
2016191668.tif 000004
【００２９】
例えば、血液の凝固（凝血）を予測または検知を目的とする場合、周波数１ｋＨｚ〜５０ＭＨｚにおいてインピーダンスを測定することが好ましく、周波数３ＭＨｚ〜１５ＭＨｚにおいてインピーダンスを測定することがより好ましい。このように、血液試料の状態や測定目的に応じて、予め、パラメータを設定しておくことで、前記表２に示すような好ましい周波数帯域を自動的に選択可能とすることができる。
【００３０】
（３）添加量制御工程ＩＩＩ
添加量制御工程ＩＩＩは、血液試料の電気的特性に基づいて、前記血沈抑制剤の添加量を制御する工程である。この添加量制御工程ＩＩＩは、本技術において必須の工程ではないが、添加量制御工程ＩＩＩを行うことにより、より精度の高い測定を行うことが可能である。
【００３１】
具体的には、例えば、予め測定された電気的特性に基づいて、血沈の速度を算出し、血沈速度に応じて、血沈制御剤の添加量を制御する方法が挙げられる。また、例えば、前記測定工程ＩＩにおいて測定された電気的特性が異常値を示し、血沈異常であると推定された場合に、測定を中止し、測定された電気的特性に基づいて、血沈の速度を算出し、血沈速度に応じて、血沈制御剤の添加量を制御して、測定をやり直す方法が挙げられる。
【００３２】
（４）血液状態解析工程ＩＶ
血液状態解析工程ＩＶでは、血液試料の電気的特性に基づいて、血液状態の解析が行われる。この血液状態解析工程ＩＶは、本技術に係る電気的特性測定方法では必須ではなく、本技術に係る電気的特性測定方法で得られた測定結果に基づいて、別の解析方法等を用いて血液試料の状態を解析することも可能である。
【００３３】
本技術に係る電気的特性測定方法の血液状態解析工程ＩＶにおいて解析することが可能な血液の状態としては、状態変化により血液の電気的特性の変化が見られる現象であれば、特に限定されず、様々な状態変化を解析及び評価することができる。例えば、血液の凝固（凝血）、フィブリン形成、フィブリン塊形成、血餅形成、血小板凝集、赤血球の連銭形成、血液の凝集、赤血球の沈降（赤沈）、血餅収縮、線溶などの溶血、フィブリノリジスなどを挙げることができる。
【００３４】
（５）血液試料
本技術に係る電気的特性測定方法において、測定対象とすることが可能な血液試料は、少なくとも血球成分と血漿成分とを含む血液試料であれば特に限定されず、自由に選択することができる。血液試料の具体例としては、全血又はこれの希釈液、各種試薬や抗凝固処理解除剤、凝固活性化剤、抗凝固剤、血小板活性化剤及び抗血小板剤等の薬剤を添加した血液試料などを挙げることができる。
【００３５】
２．電気的特性測定装置１
図２は、本技術に係る電気的特性測定装置１の概念を模式的に示す模式概念図である。本技術に係る電気的特性測定装置１は、少なくとも、血沈抑制剤添加部１１及び測定部１２を備える。また、必要に応じて、添加量制御部１３、血液状態解析部１４、記憶部１５などを備えることができる。以下、各部について詳細に説明する。
【００３６】
（１）血沈抑制剤添加部１１
血沈抑制剤添加部１１では、少なくとも血球成分と血漿成分とを含む血液試料に血沈抑制剤の添加が行われる。血沈抑制剤添加部１１で行う血沈抑制剤の添加方法や血沈抑制剤の種類等の詳細は、前述した電気的特性測定方法の血沈抑制剤添加工程Ｉと同一である。
【００３７】
（２）測定部１２
測定部１２では、血液試料の電気的特性が測定される。本技術に係る電気的特性測定装置１において、測定可能な電気的特性や周波数帯域は、前述した電気的特性測定方法の測定工程ＩＩと同一である。
【００３８】
測定部１２には、一又は複数の血液試料保持部を備えることができる。電気的特性測定装置１において、この血液試料保持部は必須ではなく、例えば、公知のカートリッジタイプの測定用容器などを設置可能な形態に、測定部１２を設計することもできる。
【００３９】
測定部１２に血液試料保持部を備える場合、該血液試料保持部の形態は、測定対象の血液試料を測定部１２内に保持することができれば特に限定されず、自由な形態に設計することができる。例えば、基板上に設けた一又は複数のセルを血液試料保持部として機能させたり、一又は複数の容器を血液試料保持部として機能させたりすることができる。
【００４０】
一又は複数の容器を血液試料保持部として用いる場合、その形態も特に限定されず、測定対象の血液試料を保持可能であれば、円筒体、断面が多角（三角、四角あるいはそれ以上）の多角筒体、円錐体、断面が多角（三角、四角あるいはそれ以上）の多角錐体、あるいはこれらを１種又は２種以上組み合わせた形態など、血液試料の状態や測定方法などに応じて自由に設計することができる。
【００４１】
また、容器を構成する素材についても特に限定されず、測定対象の血液試料の状態や測定目的などに影響のない範囲で、自由に選択することができる。本技術では特に、加工成形のし易さなどの観点から、樹脂を用いて容器を構成することが好ましい。本技術において、用いることができる樹脂の種類も特に限定されず、血液試料の保持に適用可能な樹脂を、１種又は２種以上自由に選択して用いることができる。例えば、ポリプロピレン、ポリメチルメタクリレート、ポリスチレン、アクリル、ポリサルホン、ポリテトラフルオロエチレンなどの疎水性かつ絶縁性のポリマーやコポリマー、ブレンドポリマーなどが挙げられる。本技術では、この中でも特に、ポリプロピレン、ポリスチレン、アクリル、及びポリサルホンから選ばれる一種以上の樹脂で血液試料保持部を形成することが好ましい。これらの樹脂は、血液に対して低凝固活性であるという性質を有するからである。
【００４２】
血液試料保持部は、血液試料を保持した状態で密封可能な構成であることが好ましい。ただし、血液試料の電気的特性を測定するのに要する時間停滞可能であって、測定に影響がなければ、気密な構成でなくてもよいものとする。
【００４３】
血液試料保持部への血液試料の具体的な導入及び密閉方法は特に限定されず、血液試料保持部の形態に応じて自由な方法で導入することができる。例えば、血液試料保持部に蓋部を設け、ピペットなどを用いて血液試料を導入した後に蓋部を閉じて密閉する方法や、血液試料保持部の外表面から注射針を穿入し、血液試料を注入した後、注射針の貫通部分を、グリスなどで塞ぐことで、密閉する方法などが挙げられる。
【００４４】
測定部１２には、一又は複数の印加部を備えることができる。電気的特性測定装置１において、この印加部は必須ではなく、例えば、血液試料保持部に外部から電極を挿入できるように設計することで、外部の印加装置を用いることも可能である。
【００４５】
印加部は、測定を開始すべき命令を受けた時点又は電気的特性測定装置１の電源が投入された時点を開始時点として、設定される測定間隔ごとに、血液試料に対して、所定の電圧を印加する。
【００４６】
印加部の一部として用いる電極の数や電極を構成する素材は、本技術の効果を損なわない限り特に限定されず、自由な数の電極を自由な素材を用いて構成することができる。例えば、チタン、アルミニウム、ステンレス、白金、金、銅、黒鉛などが挙げられる。本技術では、この中でも特に、チタンを含む電気伝導性素材で電極を形成することが好ましい。チタンは、血液に対して低凝固活性であるという性質を有するためである。
【００４７】
測定部１２では、複数の測定を行うことも可能である。複数の測定を行う方法としては、例えば、測定部１２を複数備えることにより複数の測定を同時に行う方法、一つの測定部１２を走査させることにより複数の測定を行う方法、血液試料保持部を移動させることにより複数の測定を行う方法、測定部１２を複数備え、スイッチングにより実際に測定を行う測定部１２を一又は複数選択する方法などを挙げることができる。
【００４８】
測定部１２には、温度制御機能を備えることが好ましい。後述する実施例で示す通り、血液試料の誘電率等の電気的特性は、温度変化によって大きく異なるため、測定部１２に温度制御機能を備えることで、温度変化による測定誤差を防止することができる。
【００４９】
（３）添加量制御部１３
添加量制御部１３では、血液試料の電気的特性に基づいて、前記血沈抑制剤の添加量の制御が行われる。この添加量制御部１３は、本技術において必須ではないが、添加量制御部１３を備えることで、より精度の高い測定を行うことが可能である。
【００５０】
添加量制御部１３が行う具体的な制御方法等は、前述した電気的特性測定方法の添加量制御工程ＩＩＩと同一である。
【００５１】
（４）血液状態解析部１４
血液状態解析部１４では、血液試料の電気的特性に基づいて、血液状態の解析が行われる。この血液状態解析部１４は、本技術に係る電気的特性測定装置１では必須ではなく、本技術に係る電気的特性測定装置１で得られた測定結果に基づいて、外部の解析装置等を用いて血液試料の状態を解析することも可能である。
【００５２】
本技術に係る電気的特性測定装置１の血液状態解析部１４において解析することが可能な血液の状態としては、前述した電気的特性測定方法の血液状態解析工程ＩＶと同一である。
【００５３】
（５）記憶部１５
本技術に係る電気的特性測定装置１には、血沈抑制剤添加部１１で添加した血沈抑制剤の添加量、血液状態解析部１４で解析された各解析結果、測定部１２で測定された測定結果などを記憶する記憶部１５を備えることができる。本技術に係る電気的特性測定装置１において、記憶部１５は必須ではなく、外部の記憶装置を接続して、各結果を記憶することも可能である。
【００５４】
本技術に係る電気的特性測定装置１において、記憶部１５は、各部ごとに、それぞれ別々に設けても良いし、一つの記憶部１５に、各部で得られる各種結果を記憶させるように設計することも可能である。
【００５５】
３．血液状態解析システム１０
図３は、本技術に係る血液状態解析システム１０の概念を模式的に示す模式概念図である。本技術に係る血液状態解析システム１０は、大別して、電気的特性測定装置１と、血液状態解析装置１０１と、を少なくとも備える。また、必要に応じて、サーバー１０２、表示部１０３、ユーザーインターフェース１０４などを備えることもできる。以下、各部について詳細に説明する。
【００５６】
（１）電気的特性測定装置１
少なくとも、血沈抑制剤添加部１１及び測定部１２を備える。また、必要に応じて、添加量制御部１３などを備えることができる。なお、電気的特性測定装置１に備える各部は、前述した電気的特性測定装置１の詳細と同一であるため、ここでは説明を割愛する。
【００５７】
（２）血液状態解析装置１０１
血液状態解析装置１０１は、前記血液試料の電気的特性に基づいて、血液の状態を解析する血液状態解析部１４を備える。なお、血液状態解析部１４は、前述した電気的特性測定装置１の血液状態解析部１４と同一であるため、ここでは説明を割愛する。
【００５８】
（３）サーバー１０２
サーバー１０２には、電気的特性測定装置１での測定結果及び／又は血液状態解析装置１０１での解析結果を記憶する記憶部１５を備える。記憶部１５の詳細は、前述した電気的特性測定装置１における記憶部１５と同一である。
【００５９】
（４）表示部１０３
表示部１０３では、電気的特性測定装置１での測定結果及び／又は血液状態解析装置１０１での解析結果などが表示される。表示部１０３は、表示するデータや結果毎に、複数設けることも可能であるが、一つの表示部１０３に、全てのデータや結果を表示することも可能である。表示部１０３は、後述するユーザーインターフェース１０４等と共に、端末装置Ｔとして配設することができる。
【００６０】
（５）ユーザーインターフェース１０４
ユーザーインターフェース１０４は、ユーザーが操作するための部位である。ユーザーは、ユーザーインターフェース１０４を通じて、本技術に係る血液状態解析システム１０の各部にアクセスすることができる。
【００６１】
以上説明した本技術に係る血液状態解析システム１０では、電気的特性測定装置１、血液状態解析装置１０１、サーバー１０２、表示部１０３及びユーザーインターフェース１０４がそれぞれネットワークを介して接続されていてもよい。
【実施例】
【００６２】
以下、実施例に基づいて本発明を更に詳細に説明する。なお、以下に説明する実施例は、本発明の代表的な実施例の一例を示したものであり、これにより本発明の範囲が狭く解釈されることはない。
【００６３】
＜実験例１＞
実験例１では、血液試料の電気的特性を測定する際に、血沈抑制効果のある化合物を用いた場合と、血沈抑制効果のない化合物を用いた場合で、電気的特性の測定結果の違いを検証した。本実験では、電気的特性の一例として、誘電率を用いた。また、試料としては、健常者の全血を用いた。なお、血沈抑制効果のみを調べるために、凝固防止剤としてクエン酸が添加されている血液試料に、凝固解除剤を添加せずに測定を行った。
【００６４】
［血沈異常検体の調整］
健常者の血液を５００Ｇで５分間遠心分離し、血漿成分を採取した。採取した血漿成分０．８ｍＬを、健常者血液２ｍＬに加えることで、血沈異常検体を調製した。  
【００６５】
［実施例１］
ＰＢＳに血沈抑制剤の一例としてポリエチレングリコール６０００を１０％ｗ／ｖの濃度で溶かし、この血沈抑制剤を含むＰＢＳを、前記で調製した血沈異常検体に、１０％量で添加し、実施例２の検体を調製した。  
【００６６】
［実施例２］
血沈抑制剤の一例として、コラーゲンペプチドを用いた以外は、実施例１と同様の方法で、実施例２の検体を調製した。
【００６７】
［比較例１］
血沈抑制効果を有さない化合物の一例として、ポリビニルピロリドン（Ｋ−９０）を用いた以外は、実施例１と同様の方法で、比較例１の検体を調製した。
【００６８】
［比較例２］
血沈抑制効果を有さない化合物の一例として、カチオン性化合物であるＤＥＡＥ−デキストランを用いた以外は、実施例１と同様の方法で、比較例２の検体を調製した。
【００６９】
［コントロール］
血沈抑制剤を含まないＰＢＳを、前記で調製した血沈異常検体に、１０％量で添加したものをコントロールとした。
【００７０】
［電気的特性の測定］
前記で調製した実施例１、２、比較例１、２及びコントロールそれぞれ１８０μＬについて、周波数１ＭＨｚにおける誘電率を経時的に測定した。
【００７１】
［結果］
実施例１及び２の測定結果を図４に、比較例１及び２の測定結果を図５に、それぞれ示す。図４に示す通り、血沈抑制剤を添加した実施例１及び２は、コントロールに比べて、誘電率のピークの出現が遅れることが分かった。一方、血沈抑制効果を有さない化合物を添加した比較例１及び２は、コントロールに比べて、誘電率のピークの出現が早まることが分かった。
【００７２】
この結果から、血沈抑制剤を用いることで、無添加に比べ、約６％の血沈抑制効果があることが確認できた。
【００７３】
＜実験例２＞
実験例２では、血沈抑制効果を有する化合物であって、解析に用いる電気的特性のパラメータに影響がない化合物を用いた場合と、影響のある化合物を用いた場合で、電気的特性の測定結果の違いを検証した。本実験例では、電気的特性の一例として、誘電率を用いた。また、解析に用いる電気的特性のパラメータの一例として、血液凝固解析に用いる凝固開始を表すパラメータに着目した。なお、実験例２では、凝固防止剤としてクエン酸が添加されている血液検体に対し、血液凝固解除剤として塩化カルシウムを添加した状態で測定を行った。
【００７４】
［実施例３］
ＰＢＳに血沈抑制剤の一例としてカルボキシメチルデキストランを１０％ｗ／ｖの濃度で溶かし、このカルボキシメチルデキストランを含むＰＢＳを、血沈速度の速い全血検体に、１０％量で添加し、実施例３の検体を調製した。
【００７５】
［実施例のコントロール］
血沈抑制剤を含まないＰＢＳを、実施例３と同一の全血検体に、１０％量で添加したものをコントロールとした。
【００７６】
［比較例３］
ベタインを１０％ｗ／ｖの濃度で溶かし、この血沈抑制剤を含むＰＢＳを、前記実験例１と同様の方法で調製した血沈異常検体に、１０％量で添加し、比較例３の検体を調製した。
【００７７】
［比較例のコントロール］
血沈抑制剤を含まないＰＢＳを、前記実験例１と同様の方法で製した血沈異常検体に、１０％量で添加したものをコントロールとした。
【００７８】
［電気的特性の測定］
前記で調製した実施例３、実施例のコントロール、比較例３及び比較例のコントロールそれぞれ１８０μＬについて、周波数１ＭＨｚにおける誘電率を経時的に測定した。
【００７９】
［結果］
実施例３の測定結果を図６に、比較例３の測定結果を図７に、それぞれ示す。図６に示す通り、カルボキシメチルデキストランを添加した実施例３は、コントロールと同様のシグナル挙動を示し、凝固が開始される時間を表すパラメータ（図６中矢印参照）から、凝固開始時間を解析することができた。一方、ベタインを添加した比較例３は、コントロールとは全く異なるシグナル挙動を示し、凝固が開始される時間を表すパラメータを抽出することができなかった。
【００８０】
この結果から、カルボキシメチルデキストランもベタインも血沈抑制効果を示すと考えられるが、カルボキシメチルデキストランについては解析に悪影響が無く、本技術の血沈抑制剤として採用可能であるが、ベタインについては解析に悪影響があるため、本技術の血沈抑制剤としては採用できないことが分かった。
【００８１】
なお、本技術は、以下のような構成も取ることができる。
（１）
少なくとも血球成分と血漿成分とを含む血液試料を電気的に測定する方法であって、
前記血液試料に血沈抑制剤を添加する工程を行う電気的測定方法。
（２）
前記血沈抑制剤は、前記血漿成分の比重及び／又は粘度を増加させる（１）記載の電気的測定方法。
（３）
前記血沈抑制剤は、非カチオン性の水溶性化合物である（１）又は（２）に記載の電気的測定方法。
（４）
前記水溶性化合物は、炭水化物、多価アルコール、ポリアミノ酸からなる群より選ばれる１種又は２種以上の化合物である（３）記載の電気的測定方法。
（５）
前記水溶性化合物は、デキストラン、ショ糖、ポリエチレングリコール、カルボキシメチルデキストラン及びコラーゲンペプチドからなる群より選ばれる１種又は２種以上の化合物である（４）記載の電気的測定方法。
（６）
前記血液試料の電気的特性に基づいて、前記血沈抑制剤の添加量を制御する添加量制御工程を更に行う（１）から（５）のいずれかに記載の電気的測定方法。
（７）
前記血液試料の電気的特性に基づいて、血液の状態を解析する血液状態解析工程を更に行う（１）から（６）のいずれかに記載の電気的測定方法。
（８）
前記血液状態解析工程では、血沈の遅延の程度を解析する（７）記載の電気的測定方法。
（９）
前記血液状態解析工程では、血液の凝固の程度を解析する（７）又は（８）に記載の電気的測定方法。
（１０）
少なくとも血球成分と血漿成分とを含む血液試料を電気的に測定する装置であって、
前記血液試料に血沈抑制剤を添加する添加部を備える電気的測定装置。
（１１）
前記血液試料の電気的特性に基づいて、血液の状態を解析する血液状態解析部を更に備える（１０）記載の電気的測定装置。
（１２）
前記血液状態解析部では、血沈の遅延の程度を解析する（１１）記載の電気的測定装置。
（１３）
前記血液状態解析部では、血液の凝固の程度を解析する（１１）又は（１２）に記載の電気的測定装置。
（１４）
少なくとも血球成分と血漿成分とを含む血液試料を用いて、該血液試料の状態を解析するシステムであって、
前記血液試料に血沈抑制剤を添加する添加部を備える電気的測定装置と、
前記血液試料の電気的特性に基づいて、血液の状態を解析する血液状態解析部を備える血液状態解析装置と、
を有する血液状態解析システム。
（１５）
前記電気的特性測定装置での測定結果および／または前記血液状態解析装置での解析結果を記憶するサーバーを備える（１４）記載の血液状態解析システム。
（１６）
前記サーバーは、ネットワークを介して、前記電気的特性測定装置および／または前記血液状態解析装置と接続されている（１５）記載の血液状態解析システム。
（１７）
少なくとも血球成分と血漿成分とを含む血液試料の電気的測定に用いられ、
前記血漿成分の比重及び／又は粘度を増加させ、
非カチオン性の水溶性化合物からなる血沈抑制剤。
（１８）
前記血液試料の電気的特性に基づく血液状態解析に悪影響がない（１７）記載の血沈抑制剤。
【符号の説明】
【００８２】
Ｉ  血沈抑制剤添加工程
ＩＩ  測定工程
ＩＩＩ  添加量制御工程
ＩＶ  血液状態解析工程
１  電気的特性測定装置
１１  血沈抑制剤添加部
１２  測定部
１３  添加量制御部
１４  血液状態解析部
１５  記憶部
１０  血液状態解析システム
１０１  血液状態解析装置
１０２  サーバー
１０３  表示部
１０４  ユーザーインターフェース
【図１】
2016191668.tif 000005
【図２】
2016191668.tif 000006
【図３】
2016191668.tif 000007
【図４】
2016191668.tif 000008
【図５】
2016191668.tif 000009
【図６】
2016191668.tif 000010
【図７】
2016191668.tif 000011